【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
一端が開口している容器部材と、前記容器部材の開口を開閉自在に閉止する蓋部材と、を有する生化学容器であって、
前記容器部材の開口を閉止する位置と開放する位置とに前記蓋部材を揺動自在に支持しているヒンジ機構と、
前記容器部材と前記蓋部材との一方の外側面に一端が連結されているとともに他方の外側面に他端が対向していて弾発的に湾曲する開放補助部材と、
前記開放補助部材に外側から作用する方向の応力を開放方向で前記蓋部材に作用する応力に変換する方向変換機構と、
を有する生化学容器。
【請求項２】
一端が開口している容器部材と、前記容器部材の開口を開閉自在に閉止する蓋部材と、を有する生化学容器であって、
前記容器部材の開口を閉止する位置と開放する位置とに前記蓋部材を揺動自在に支持しているヒンジ機構と、
前記容器部材と前記蓋部材との一方の外側面に一端が連結されているとともに他方の外側面に他端が対向していて弾発的に湾曲する開放補助部材と、
前記開放補助部材の少なくとも一部の内側への変位を前記蓋部材の少なくとも一部の開放方向への変位に変換する方向変換機構と、
を有する生化学容器。
【請求項３】
前記開放補助部材は、前記蓋部材の外側面に一端が連結されているとともに閉止状態で前記容器部材の外側面に他端が対向する形状に形成されており、
前記方向変換機構は、
前記容器部材の外側面において前記開放補助部材の前記他端と対向する位置に形成されている斜面を有し、
前記斜面は、前記蓋部材の開放方向に向かうにつれて前記開放補助部材の前記他端から遠ざかるように傾斜している請求項１または２に記載の生化学容器。
【請求項４】
前記開放補助部材は、前記蓋部材の外側面に一端が連結されているとともに閉止状態で前記容器部材の外側面に他端が対向する形状に形成されており、
前記方向変換機構は、
前記容器部材の外側面において前記開放補助部材の前記他端と対向する位置に形成されている凸部と、
前記開放補助部材の前記他端における前記凸部側の面に形成されている斜面と、
を有し、
前記斜面は、前記蓋部材の開放方向に向かうにつれて前記凸部に近づくように傾斜している請求項１または２に記載の生化学容器。
【請求項５】
前記開放補助部材は、前記容器部材の外側面に一端が連結されているとともに閉止状態の前記蓋部材の外側面に他端が対向する形状に形成されており、
前記方向変換機構は、
前記蓋部材の外側面において前記開放補助部材の前記他端と対向する位置に形成されている斜面を有し、
前記斜面は、前記蓋部材の開放方向に向かうにつれて前記開放補助部材の前記他端に近づくように傾斜している請求項１または２に記載の生化学容器。
【請求項６】
前記開放補助部材は、前記容器部材の外側面に一端が連結されているとともに閉止状態の前記蓋部材の外側面に他端が対向し、
前記方向変換機構は、
前記蓋部材の外側面において前記開放補助部材の前記他端と対向する位置に形成されている凸部と、
前記開放補助部材の前記他端における前記凸部側の面に形成されている斜面と、
を有し、
前記斜面は、前記蓋部材の開放方向に向かうにつれて前記凸部から遠ざかるように傾斜している請求項１または２に記載の生化学容器。
【請求項７】
前記ヒンジ機構は、前記蓋部材を開放する方向に弾発的に付勢している請求項１ないし６の何れか一項に記載の生化学容器。
【請求項８】
前記ヒンジ機構は、開放された前記蓋部材を前記容器部材の開口から略直角に揺動した位置に弾発的に保持する請求項７に記載の生化学容器。
【請求項９】
前記容器部材は、一端が開口している容器本体と、前記容器本体の一端の外側面に装着されている枠状部材と、を有し、
前記ヒンジ機構は、前記枠状部材に連結されており、
前記開放補助部材は、前記枠状部材と前記蓋部材との一方の外側面に一端が連結されているとともに他方の外側面に他端が対向している請求項１ないし８の何れか一項に記載の生化学容器。
【請求項１０】
前記蓋部材は、前記容器本体の開口に係脱自在に係合する請求項９に記載の生化学容器。
【請求項１１】
請求項９または１０に記載の生化学容器の前記容器本体に装着される蓋ユニットであって、
前記蓋部材と、
前記容器本体の一端の外側面に装着される枠状部材と、
前記枠状部材に連結されていて前記蓋部材を揺動自在に支持しているヒンジ機構と、
前記枠状部材と前記蓋部材との一方の外側面に一端が連結されているとともに他方の外側面に他端が対向していて弾発的に湾曲する開放補助部材と、
前記開放補助部材に外側から作用する方向の応力を開放方向で前記蓋部材に作用する応力に変換する方向変換機構と、
を有する蓋ユニット。
【請求項１２】
請求項９または１０に記載の生化学容器の前記容器本体に装着される蓋ユニットであって、
前記蓋部材と、
前記容器本体の一端の外側面に装着される枠状部材と、
前記枠状部材に連結されていて前記蓋部材を揺動自在に支持しているヒンジ機構と、
前記枠状部材と前記蓋部材との一方の外側面に一端が連結されているとともに他方の外側面に他端が対向していて弾発的に湾曲する開放補助部材と、
前記開放補助部材の少なくとも一部の内側への変位を前記蓋部材の少なくとも一部の開放方向への変位に変換する方向変換機構と、
を有する蓋ユニット。
【手続補正２】
【補正対象書類名】明細書
【補正対象項目名】００２９
【補正方法】変更
【補正の内容】
【００２９】
このため、開放補助部材１４０の下端部１４１の外周面は、後半部で枠状部材１６１の凸部１６２の外周面と当接し、蓋部材１２０の開放方向である上方に向かうにつれて凸部１６２に近づくように傾斜している斜面として機能する。
【手続補正３】
【補正対象書類名】明細書
【補正対象項目名】００３０
【補正方法】変更
【補正の内容】
【００３０】
一方、枠状部材１６１の凸部１６２の外周面は、上半部で開放補助部材１４０の下端部１４１の外周面と当接し、蓋部材１２０の開放方向である上方に向かうにつれて開放補助部材１４０の下端部１４１から遠ざかるように傾斜している斜面として機能する。
【手続補正４】
【補正対象書類名】明細書
【補正対象項目名】００５７
【補正方法】変更
【補正の内容】
【００５７】
しかし、図５に例示する生化学容器２００のように、上方に向かうにつれて開放補助部材２０３の下端部から遠ざかるように傾斜している斜面２０１が容器部材２０２の前面に形成されており、その斜面２０１に開放補助部材２０３の下端が対向していることで、方向変換機構２０４が実現されていてもよい。
【手続補正５】
【補正対象書類名】明細書
【補正対象項目名】００５８
【補正方法】変更
【補正の内容】
【００５８】
また、図６に例示する生化学容器２１０のように、上方に向かうにつれて容器部材２１３の凸部２１４に近づくように傾斜している斜面２１１が開放補助部材２１２の下端後面に形成されており、その斜面２１１に容器部材２１３の前面の凸部２１４が対向していることで、方向変換機構２１５が実現されていてもよい。
【手続補正６】
【補正対象書類名】明細書
【補正対象項目名】００５９
【補正方法】変更
【補正の内容】
【００５９】
さらに、図７に例示する生化学容器２２０のように、上方に向かうにつれて開放補助部材２２４の上端に近づくように傾斜している斜面２２１が蓋部材２２２の前面に形成されており、下端が容器部材２２３に連結されている開放補助部材２２４の上端が蓋部材２２２の斜面２２１に対向していることで、方向変換機構２２５が実現されていてもよい。
【手続補正７】
【補正対象書類名】明細書
【補正対象項目名】００６０
【補正方法】変更
【補正の内容】
【００６０】
また、図８に例示する生化学容器２３０のように、上方に向かうにつれて蓋部材２３４の凸部２３５から遠ざかるように傾斜している斜面２３１が、下端で容器部材２３２に連結されている開放補助部材２３３の上端に形成されており、その斜面２３１に蓋部材２３４の前面の凸部２３５が対向していることで、方向変換機構２３６が実現されていてもよい。